(57)【要約】【課題】  情報処理装置と補助情報処理装置とが連携して情報処理を行う構成の情報処理システムであって、情報処理装置に対する作業を何等行わなくても、機能追加等が行える情報処理システムを、提供する。【解決手段】  情報処理装置と補助情報処理装置（スキャンエージェントコンピュータ５０）とを含む情報処理システムを、情報処理装置が表示する，幾つかの処理条件項目設定用の画面については、補助情報処理装置から選択可能項目情報が取得されて、その選択可能項目情報で規定される内容の画面となるように、構成しておく。【選択図】  図１３
2005210188.tif 000002
【特許請求の範囲】
【請求項１】
情報処理を連携して実行する１台以上の情報処理装置と補助情報処理装置とを含む情報処理システムであって、
前記１台以上の情報処理装置のそれぞれが、
前記情報処理に関する複数種類の処理条件項目のそれぞれについての項目値をユーザに設定させるために、複数種類の画面を表示する手段であると共に、幾つかの画面については、前記補助情報処理装置から取得した画面内容規定情報で規定される内容の画面を表示する手段であるユーザ・インタフェース手段と、
前記ユーザ・インタフェース手段を利用して前記ユーザが設定した前記複数種類の処理条件項目のそれぞれについての項目値を含むユーザ設定項目値情報を前記補助情報処理装置に対して送信するユーザ設定項目値情報送信手段と、
前記補助情報処理装置が送信する処理内容指定情報で規定される内容の処理を実行して、その処理により得られた処理結果情報を前記補助情報処理装置に対して送信する処理実行手段
とを、備えた装置であり、
前記補助情報処理装置が、
前記ユーザ設定項目値情報を受信したときに、当該ユーザ設定項目値情報に応じた内容の前記処理内容指定情報を生成して前記情報処理装置に送信する処理内容指定情報送信手段と、
前記処理結果情報を受信したときに、当該処理結果情報に対して前記処理内容指定情報送信手段により受信されている前記ユーザ設定項目値情報に応じた内容の二次処理を行うことにより、前記情報処理を完了させる情報処理完遂手段と、
前記情報処理装置の前記ユーザ・インタフェース手段に取得させる，前記幾つかの画面のそれぞれについての前記画面内容規定情報を記憶した画面内容規定情報記憶手段
とを、備えた装置である
ことを特徴とする情報処理システム。
【請求項２】
前記補助情報処理装置の前記画面内容規定情報記憶手段に記憶された前記画面内容規定情報が、複数の項目値と、各項目値に対応付けられた項目値名称とを含む情報であり、
前記情報処理装置の前記ユーザ・インタフェース手段が、前記画面内容規定情報に含まれる項目値名称が示された画面を表示する手段である
ことを特徴とする請求項１記載の情報処理システム。
【請求項３】
前記補助情報処理装置が、コンピュータに、
コンピュータを、前記ユーザ設定項目値情報を受信したときに、当該ユーザ設定項目値情報に応じた内容の前記処理内容指定情報を生成して前記情報処理装置に送信する処理内容指定情報送信手段と、前記処理結果情報を受信したときに、当該処理結果情報に対して前記処理内容指定情報送信手段により受信されている前記ユーザ設定項目値情報に応じた内容の二次処理を行うことにより、前記情報処理を完了させる情報処理完遂手段と、前記情報処理装置の前記ユーザ・インタフェース手段に前記画面内容規定情報を提供する画面内容規定情報提供手段とを、備えた装置として動作させるための補助情報処理プログラムを、インストールした装置である
ことを特徴とする請求項１又は請求項２に記載の情報処理システム。
【請求項４】
前記情報処理装置の前記処理実行手段が、処理対象とされた原稿から、その原稿上の画像を表す画像データを生成し、生成した画像データを前記処理結果情報として前記補助管理装置に送信する手段である
ことを特徴とする請求項１乃至請求項３のいずれかに記載の情報処理システム。
【請求項５】
前記情報処理装置の前記ユーザ・インタフェース手段が、フォルダパスに関する項目値である保存場所指定値を含む項目値群をユーザに設定させる手段であり、
前記補助情報処理装置の前記情報処理完遂手段が、
前記二次処理として、前記処理結果情報として送信されたきた前記画像データのファイルを、前記ユーザ設定項目値情報に含まれている前記保存場所指定値にて指定されるフォルダに保存する処理を、行う手段である
ことを特徴とする請求項４記載の情報処理システム。
【請求項６】
前記情報処理装置の前記ユーザ・インタフェース手段が、メールアドレスに関する項目値であるメール送信指定値を含む項目値群をユーザに設定させる手段であり、
前記補助情報処理装置の前記情報処理完遂手段が、
前記二次処理として、前記処理結果情報として送信されたきた前記画像データのファイルを添付したＥメールであると共に、前記ユーザ設定項目値情報に含まれている前記メール送信先指定値にて指定されるメールアドレスを宛先メールアドレスとしたＥメールを送信する処理を、行う手段である
ことを特徴とする請求項４記載の情報処理システム。
【発明の詳細な説明】
【技術分野】
【０００１】
本発明は、情報処理装置と補助情報処理装置とが連携して情報処理を行う情報処理システムに、関する。
【背景技術】
【０００２】
近年、市販されているデジタル複合機の中には、ＬＡＮに接続すると共に、ＬＡＮ上のコンピュータに所定のプログラム（以下、機能追加用プログラムと表記する）をインストールしておくと、スキャンtoメール処理やスキャンtoファイル処理が行える状態となるものが、存在している。
【０００３】
ここで、スキャンtoメール処理とは、図２６（Ａ）に模式的に示したように、スキャンデータ（デジタル複合機のスキャナによって生成された原稿の画像データ）がデジタル複合機からコンピュータに送信され、スキャンデータを受信したコンピュータにより、そのスキャンデータを加工したデータ（データ形式を変換したデータ）のファイルを添付したＥメールが，ユーザが指定した何件かの宛先に宛てて送信される処理のことである。また、スキャンtoファイル処理とは、図２６（Ｂ）に模式的に示したように、スキャンデータがデジタル複合機からコンピュータに送信され、スキャンデータを受信したコンピュータにより、そのスキャンデータを加工したデータのファイルがユーザが指定した場所（共有フォルダ）に保存される処理のことである。
【０００４】
このデジタル複合機は、一般的なデジタル複合機と同様に予め定められている内容の各種画面を表示することにより、ユーザに、スキャンtoメール処理／スキャンtoファイル処理に関する処理条件を設定させる装置であると共に、スキャンtoメール処理／スキャンtoファイル処理の開始が指示された際には、ユーザにより設定された処理条件の一部分（ファイル形式や宛先に関する処理条件）をコンピュータに通知した上で、当該処理条件の残りの部分（スキャナの動作条件に関係する処理条件）に応じたスキャンデータを生成してコンピュータに送信する装置（非特許文献１参照。）となっている。
【０００５】
このため、このデジタル複合機とコンピュータ（機能追加用プログラム）とからなるシステムは、例えば、選択可能なファイル形式を追加する場合や選択可能なファイル形式の種類を変更する場合、追加／変更したファイル形式をユーザが選択できるようにするためのバージョンアップを、デジタル複合機のファームウェアに対して行うと共に、追加／変更したファイル形式へスキャンデータを変換できるようにするためのバージョンアップを、機能追加用プログラムに対して行わなければならないものとなっていた。
【０００６】
さらに、このデジタル複合機は、ファームウェアをバージョンアップしないと、画面上に表示される或る選択肢の名称を変更できないという問題を有するものともなっている。
【非特許文献１】セイコーエプソン社製  ＣＳ−７５００  ユーザズマニュアル
【発明の開示】
【発明が解決しようとする課題】
【０００７】
そこで、本発明の課題は、上記したシステムのような、情報処理装置と補助情報処理装置とが連携して情報処理を行う構成の情報処理システムであって、情報処理装置に対する作業を何等行わなくても、機能追加等が行える情報処理システムを、提供することにある。
【課題を解決するための手段】
【０００８】
上記課題を解決するために、本発明では、情報処理を連携して実行する情報処理装置と補助情報処理装置とを含む情報処理システムが、情報処理装置として、情報処理に関する複数種類の処理条件項目のそれぞれについての項目値をユーザに設定させるために、複数種類の画面を表示する手段であると共に、幾つかの画面については、補助情報処理装置から取得した画面内容規定情報で規定される内容の画面を表示する手段であるユーザ・インタフェース手段と、ユーザ・インタフェース手段を利用してユーザが設定した複数種類の処理条件項目のそれぞれについての項目値を含むユーザ設定項目値情報を補助情報処理装置に対して送信するユーザ設定項目値情報送信手段と、補助情報処理装置が送信する処理内容指定情報で規定される内容の処理を実行して、その処理により得られた処理結果情報を補助情報処理装置に対して送信する処理実行手段とを備えた装置が用いられ、補助情報処理装置として、ユーザ設定項目値情報を受信したときに、当該ユーザ設定項目値情報に応じた内容の処理内容指定情報を生成して情報処理装置に送信する処理内容指定情報送信手段と、処理結果情報を受信したときに、当該処理結果情報に対して処理内容指定情報送信手段により受信されているユーザ設定項目値情報に応じた内容の二次処理を行うことにより、情報処理を完了させる情報処理完遂手段と、情報処理装置の前記ユーザ・インタフェース手段に取得させる，前記幾つかの画面のそれぞれについての前記画面内容規定情報を記憶した画面内容規定情報記憶手段とを備えた装置が用いられたシステムとされる。
【０００９】
すなわち、本発明の情報処理システムは、情報処理装置が表示する、幾つかの処理条件項目設定用の画面については、その画面を用いて選択可能なものとする項目値の数／種類を、補助情報処理装置内の画面内容規定情報を変更することによって変更可能な構成を有する。従って、本発明の情報処理システムは、情報処理装置に対する作業を何等行わなくても、機能追加等が行えるシステムとなっていることになる。
【００１０】
なお、本発明の情報処理システムを実現するに際しては、“項目値”を、ユーザに提示する情報としておいても良く、“項目値”と共に、ユーザに提示する情報（項目値名称）が、補助情報処理装置から情報処理装置に渡されるようにしておいても、良い。
【００１１】
また、本発明の情報処理システムを実現するに際しては、補助情報処理装置を専用の装置としておいても良いが、「コンピュータを、ユーザ設定項目値情報を受信したときに、当該ユーザ設定項目値情報に応じた内容の処理内容指定情報を生成して情報処理装置に送信する処理内容指定情報送信手段と、処理結果情報を受信したときに、当該処理結果情報に対して処理内容指定情報送信手段により受信されているユーザ設定項目値情報に応じた内容の二次処理を行うことにより、情報処理を完了させる情報処理完遂手段と、情報処理装置のユーザ・インタフェース手段に、画面内容規定情報を提供する画面内容規定情報提供手段とを、備えた装置として動作させるための補助情報処理プログラム」をインストールしたコンピュータを、補助情報処理装置としておいても良い。
【００１２】
また、本発明の情報処理システムは、どのような内容の情報処理を実行するシステムとして実現しても良く、例えば、情報処理システムを、「処理対象とされた原稿から、その原稿上の画像を表す画像データが生成され、その画像データに基づき、何らかの処理（例えば、ファイル化して保存する処理や、当該画像データのファイルを添付したＥメールを送信する処理）が行われる」情報処理を実行するシステムとしておくことも、出来る。
【発明を実施するための最良の形態】
【００１３】
以下、本発明を実施するための最良の形態を、図面を参照して詳細に説明する。
【００１４】
まず、図１〜図４を用いて、本発明の一実施形態に係る情報処理システムの概要（ハードウェア構成、使用形態）を、説明する。
【００１５】
図１に示したように、本実施形態に係る情報処理システムは、１台以上（図では、２台）のデジタル複合機１０（情報処理装置に相当）とスキャンエージェントコンピュータ５０（補助情報処理装置に相当）とがネットワーク接続されたシステムである。
【００１６】
この情報処理システムは、スキャンtoメール処理及びスキャンtoファイル処理（図２５（Ａ），図２５（Ｂ）参照）のいずれか一方，或いは，双方が行われる処理であるスキャンデータ送信処理を実行するためのシステムである。このため、本情報処理システムは、本情報処理システムの管理者や一般ユーザが使用する何台か（図では、１台）のコンピュータ２２０、コンピュータ２２０等をインターネットに接続するためのインターネットルータ２００，共有フォルダが設定されている何台かのファイルサーバ２１０等を含むネットワークに接続された形で、使用される。
【００１７】
スキャンエージェントコンピュータ５０は、本情報処理システム用に開発されたスキャンエージェントプログラム４０（補助情報処理プログラムに相当）をインストールしたコンピュータである。スキャンエージェントプログラム４０の機能についての説明は後ほど行うが、このスキャンエージェントプログラム４０は、インストール（セットアップ）時に、管理者名及びパスワードの設定や，作業フォルダ，メールサーバの設定が必要とされるプログラムとなっている。
【００１８】
デジタル複合機１０は、図２，図３にそれぞれ示した外観，ハードウェア構成を有する装置である。すなわち、デジタル複合機１０は、一般的なデジタル複合機／コピー機と同様の外観を有するように（図２参照）、制御ユニット１１とスキャナ１２とプリンタ１３とを組み合わした装置となっている。
【００１９】
このデジタル複合機１０に用いられているプリンタ１３は、コンピュータの周辺装置として使用可能なプリンタに、デジタル複合機１０を構成するための(制御ユニット１１とプリンタ１３とを接続するための)拡張ボードを装着した装置である。スキャナ１２は、コンピュータの周辺装置として使用可能なスキャナに、デジタル複合機１０を構成するための(制御ユニット１１とスキャナ１２とを接続するための)拡張ボードを装着した装置である。
【００２０】
制御ユニット１１は、図３に示してあるように、ＣＰＵ２１，ＲＯＭ２２，ＲＡＭ２３，ＥＥＰＲＯＭ２４，通信制御回路２５，ＬＣＤ制御回路２７，入力インタフェース回路(入力Ｉ／Ｆ)２８，ネットワークインタフェース回路(ＮＷ−Ｉ／Ｆ)２９，タッチスクリーン３１，スイッチ部３２等により構成されている。
【００２１】
この制御ユニット１１に用いられているタッチスクリーン３１は、液晶ディスプレイ(ＬＣＤ)３５上に透明な接触位置センサ３６を重ねた素子である。このタッチスクリーン３１は、図２及び図４に示してあるように、制御ユニット１１の筐体上に設けられている。スイッチ部３２（図３，図４参照）は、制御ユニット１１の筐体上に設けられている，スタートボタン３２ｓ，テンキー等の各種押しボタンスイッチと、それらの制御回路とで構成されたユニットである。
【００２２】
ＣＰＵ２１（図３）は、デジタル複合機１０の各部(制御ユニット１１内の各部、スキャナ１２及びプリンタ１３)を統合的に制御する制御回路である。ＲＯＭ２２は、ＣＰＵ２１の動作手順を規定するプログラムやＣＰＵ２１(プログラム)が利用するデータが記録されている読み出し専用のメモリである。ＲＡＭ２３は、ＲＯＭ２２に記録されているプログラムが読み出されるメモリであると共に、ＣＰＵ２１(プログラム)の作業領域として用いられるメモリである。通信制御回路２５は、ＣＰＵ２１が、スキャナ１２或いはプリンタ１３との間で情報交換(コマンドの送信、画像データの受信、印刷データの送信)を行うために使用する回路である。
【００２３】
ＬＣＤ制御回路２７は、タッチスクリーン３１(ＬＣＤ３５)に、ＣＰＵ２１から指示された内容の画像(画面)を表示させる回路である。入力インタフェース回路２８は、ユーザ(デジタル複合機１０の操作者)がテンキー部３２或いはタッチスクリーン３１(接触位置センサ３６)に対して行った操作内容を、ＣＰＵ２１に通知する回路である。ネットワークインタフェース回路２９は、制御ユニット１１をネットワークに接続するための回路である。
【００２４】
ＥＥＰＲＯＭ２４は、電源が落とされても保持しておくことが必要な各種の情報（後述する，装置ＩＰアドレス，エージェントＩＰアドレス等）を記憶しておくために、制御ユニット１１に搭載されている不揮発性の書き換え可能なメモリである。
【００２５】
次に、図５乃至図１２を用いて、本情報処理システムの操作手順（制御ユニット１１の見かけ上の動作）を、説明する。
【００２６】
制御ユニット１１は、その動作モードとして、デジタル複合機１０をコピー機として動作させるためのコピーモードと、情報処理システム（デジタル複合機１０とスキャンエージェントコンピュータ５０とからなるシステム）を、実際に機能するシステムとして動作させるためのスキャンモードとを、有している。また、制御ユニット１１は、コピーモードで動作している場合は、通常、図５に示したコピー基本画面１００をタッチスクリーン３１上に表示するユニットとなっている。
【００２７】
制御ユニット１１にスキャンモードでの動作を開始させたい場合（情報処理システムにスキャンデータ送信処理を実行させたい場合）、ユーザは、このコピー基本画面１００上のモード切替ボタン１０１を押下する。この操作が行われると、制御ユニット１１は、スキャンモードでの動作を開始し、その結果として、タッチスクリーン３１上には、図６に示した構成のユーザ名選択画面１０５が、表示される。
【００２８】
ユーザは、このユーザ名選択画面１０５上の，自身の名前（情報処理システムに登録されている名前；"WATSON"等）が示されているユーザ名ボタン１０６を、押下する。なお、表示されたユーザ名選択画面１０５上に自身に関するユーザ名ボタン１０６が存在していなかった場合、ユーザは、ボタン１０７ｎを押下する。ユーザが、このユーザ名選択画面１０５上のボタン１０７ｎを押下すると、タッチスクリーン３１には、登録されている他のユーザに関する６個以下のユーザ名ボタン１０６と、有効なボタン１０７ｂと、無効な（グレーアウト表示され、押下しても何も行われない）ボタン１０７ｎと、その内部に“２／２”が表示された領域１０８とを備えたユーザ名選択画面１０５（次ページの内容が示されたユーザ名選択画面１０５）が、表示されるので、ユーザは、そのユーザ名選択画面１０５上の，自身の名前が示されているユーザ名ボタン１０６を押下する。
【００２９】
ユーザが、自身の名前が示されているユーザ名ボタン１０６を押下すると、当該ユーザがパスワード設定を行っていない者であった場合（押下されたユーザ名ボタン１０６が，パスワードが設定を行っていないユーザに関するものであった場合；詳細は後述）には、タッチスクリーン３１上に図７に示したスキャン基本画面１１０が、表示される。一方、当該ユーザがパスワード設定を行っている者であった場合には、タッチスクリーン３１上にパスワード入力画面が、表示される。そして、そのパスワード入力画面に対して、登録されているものと一致するパスワード（４桁の数字）を入力する操作が行われたときに、スキャン基本画面１１０が、表示される。
【００３０】
このスキャン基本画面１１０上のモード切替ボタン１１１は、その押下により、制御ユニット１１がコピーモードでの動作を開始するボタンである。
【００３１】
スキャン先選択・表示ボタン１１９は、その押下により、タッチスクリーン３１上に図８に示したスキャン先選択画面１２０が表示されるボタンである。
【００３２】
このスキャン先選択画面１２０上のリスト領域１２１は、ユーザが予め登録しておいた各送信先規定情報の名称（"FOLDER_1"，"USER_1"等：以下、送信先規定情報名とも表記する）が示される領域である。なお、送信先規定情報の詳細（内容，設定法）については後述するが、送信先規定情報は、スキャンファイルの保存場所やスキャンメールの送信先を規定する情報となっている。また、本情報処理システムは、送信先規定情報として、スキャンtoファイル処理用の送信先規定情報（フォルダパスを含むもの；以下、保存用送信先規定情報と表記する）と、スキャンtoメール処理用の，１つのメールアドレスを含む送信先規定情報（以下、メール用送信先規定情報と表記する）と、スキャンtoメール処理用の，複数のメールアドレスを含む送信先規定情報（以下、グループ用送信先規定情報と表記する）とを登録可能なシステムとなっている。そして、スキャン先選択画面１２０上のリスト領域１２１は、各保存用送信先規定情報については、図形１２８とその名称（"FOLDER_1"）とが示され、各メール用送信先規定情報については、その名称（"USER_1"等）のみが示され、各グループ用送信先規定情報については、図形１２９とその名称（"GROUP_1"等）とが示される領域となっている。
【００３３】
このスキャン先選択画面１２０は、以下の操作により、スキャンデータの送信先（スキャンデータから生成したファイルの保存場所やスキャンデータから生成したファイルを添付したＥメールの送信先）を、任意数、指定できる画面となっている。
【００３４】
すなわち、ユーザは、或る送信先を選択したい場合、選択枠１２６を移動させるためのボタン１２２ｕ，ボタン１２２ｄを操作することにより、選択したい送信先に関する送信先規定情報名が選択枠１２６で囲まれている状態を形成する。そして、ユーザは、“スキャン先に追加”ボタン１２３を押下する。
【００３５】
ユーザが“スキャン先に追加”ボタン１２３を押下すると、制御ユニット１１は、選択枠１２６で囲まれている送信先規定情報名で識別される送信先規定情報が選択されたことを、記憶する（詳細は後述）。また、制御ユニット１１は、選択件数表示欄１２４内の数値を“１”インクリメントすると共に、選択枠１２６で囲まれていた送信先規定情報名をリスト領域１２１から消去する
複数の送信先規定情報を選択する場合、ユーザは、上記のような操作を各送信先規定情報について行った後に、“決定”ボタン１２５を押下する。なお、スキャン先選択画面１２０上の“スキャン先”ボタン１２７は、その押下により、タッチスクリーン３１上に図９に示したスキャン先確認・削除画面１３０が表示されるボタンとなっている。ユーザは、選択している送信先規定情報を確認したい場合等には、“スキャン先”ボタン１２６を押下することによりスキャン先確認・削除画面１３０を表示させる。そして、ユーザは、内容の確認作業等を行ってから、スキャン先確認・削除画面１３０上の“決定”ボタン１３５（或いは、“リスト”ボタンの押下により再表示させたスキャン先選択画面１２０上の“決定”ボタン１２５）を、押下する。
【００３６】
ユーザが“決定”ボタン１２５（或いは、“決定”ボタン１３５）を押下すると、タッチスクリーン３１上には、ユーザが選択した送信先規定情報を表す情報（幾つかの送信先規定情報名からなる情報）がスキャン先選択・表示ボタン１１９内に示されているスキャン基本画面１１０が、表示される。
【００３７】
図７に戻って、説明を続ける。
【００３８】
スキャン基本画面１１０に設けられている設定値提示領域１１２は、４種の処理条件項目（原稿サイズ，解像度，カラータイプ，ファイル形式）に関する４種の設定値（“オートサイズ”、“標準”等）が示される領域である。ここで、或る処理条件項目に関する設定値とは、その処理条件項目について用意されている複数の項目値の中の、そのままの状態でスタートボタン３２ｓが押下された場合に、スキャンデータ送信処理の内容を規定する情報として用いられることになる項目値のことである。また、項目値とは、ユーザに提示するための情報（項目値名称等）と、実際の処理に使用するための情報（項目値ＩＤ等）とからなる情報のことである。
【００３９】
“原稿サイズ”ボタン１１３、“解像度”ボタン、“カラータイプ”ボタン、“ファイル形式”ボタン１１５は、それぞれ、原稿サイズ，解像度，カラータイプ，ファイル形式についての設定値を変更する場合にユーザが押下するボタンである。
【００４０】
“原稿タイプ”ボタン１１６は、原稿タイプ（原稿が印刷物、写真、文字が多用されたもののいずれであるかに関する処理条件項目）の設定値を変更する場合にユーザが押下するボタンである。この“原稿タイプ”ボタン１１４は、その内部に、その時点における設定値（図では、文字）が示されるボタンとなっている。片面／両面ボタン１１７は、原稿の両面を読み取るか片面を読み取るかに関する処理条件項目の設定値を変更する場合にユーザが押下するボタンである。この片面／両面切替ボタン１１５も、その内部に、その時点における設定値（図では、片面）が示されるボタンとなっている。
【００４１】
これらのボタンは、いずれも、その押下により、タッチスクリーン３１上に、対応する処理条件項目の設定値を変更するための別画面が表示されるボタンとなっている。例えば、“原稿サイズ”ボタン１１３は、その押下により、図１０に示した構成の原稿サイズ設定画面１４０が表示されるボタンとなっている。また、“ファイル形式”ボタン１１５は、その押下により、図１１に示した構成のファイル形式設定画面１５０が表示されるボタンとなっており、“原稿タイプ”ボタン１１６は、その押下により、図１２に示した構成の原稿タイプ設定画面が表示されるボタンとなっている。以下、ファイル形式設定画面１４０、ファイル形式設定画面１５０のような画面（スキャン基本画面１１０を操作することにとにより表示される，スキャン先選択画面１２０以外の画面）のことを、項目値選択画面と表記する。
【００４２】
スキャン基本画面１１０（図７）上の濃度設定用アイテム１１８（“うすく”ボタン１１８Ｌ，“こく”ボタン１１８Ｄ，設定値提示カーソル１１８Ｃ等からなるアイテム）は、スキャン濃度に関する設定値を変更するためのアイテムである。この濃度設定用アイテム１１８は、“うすく”ボタン１１８Ｌ，“こく”ボタン１１８Ｄを押下しても別画面が表示されない（押下すると、設定値提示カーソル１１８Ｃの表示位置が変わる）アイテムとなっている。
【００４３】
そして、本情報処理システムは、ユーザが、このスキャン基本画面１１０を利用して各種の設定を行った後（少なくとも、スキャン先に関する設定を行った後）、スタートボタン３２ｓ（図４参照）を押下したときに、その時点における各種設定値に応じた内容のスキャンデータ送信処理が開始されるシステムとなっている。
【００４４】
以上のことを前提として、以下、本情報処理システムの動作を、さらに具体的に説明する。
【００４５】
本情報処理システムは、上記した各種画面の内容を規定する情報が、スキャンエージェントコンピュータ５０内に記憶されるシステムとなっている。
【００４６】
具体的には、本情報処理システムは、図１３に模式的に示したように、複数の選択可能項目情報（本発明における画面内容規定情報に相当）と、各デジタル複合機１０（図では、複合機Ａ，Ｂ）に関する複合機管理情報と、各ユーザ（図では、ユーザα，β，γ）に関するユーザ管理情報及び幾つかの送信先規定情報（メール用／グループ用／保存用送信先規定情報）とが、スキャンエージェントコンピュータ５０内に記憶されている状態で動作するシステムとなっている。
【００４７】
スキャンエージェントコンピュータ５０内に記憶されている各選択可能項目情報は、スキャンエージェントプログラム４０のインストール（セットアップ）時に、スキャンエージェントコンピュータ５０のＨＤＤに記憶される情報である。
【００４８】
各選択可能項目情報は、スキャン基本画面１１０の操作により設定可能ないずれかの処理条件項目に対応付けられている。また、原則として、各選択可能項目情報は、対応する処理条件項目の設定値を変更するための画面（ファイル形式設定画面１５０等）の内容を規定する情報（項目値ＩＤと項目値名称とを含む複数の項目値情報、及び、項目値情報の総数を示す項目値情報数）と、当該処理条件項目のデフォルトの設定値を規定するデフォルト値（項目値ＩＤ）とを、含む情報となっている。ただし、スキャン濃度に関する選択可能項目情報は、選択可能なものとするスキャン濃度の範囲を指定する情報（濃度設定用アイテム１１８の形態を、スキャン濃度を何段階変更可能なものとするかを指定する情報）と、デフォルト値とを含む情報となっている。なお、本情報処理システムは、個々の選択可能項目情報を、ファイル（実際には、ＩＮＩファイル）としたシステムとなっている。
【００４９】
デジタル複合機１０毎に記憶されている複合機管理情報は、対応するデジタル複合機１０のＩＰアドレス、ＭＡＣアドレス、管理用名称等からなる情報である。各複合機管理情報のＨＤＤへの記憶（スキャンエージェントコンピュータ５０への登録）は、デジタル複合機１０に対する初期設定が行われたときに、自動的に行われる。
【００５０】
具体的には、制御ユニット１１は、その設置時（ネットワークへの組込時）に、ＩＰアドレス（以下、装置ＩＰアドレスと表記する）を割り当てる作業と、エージェントコンピュータ５０に割り当てられているＩＰアドレス（以下、エージェントＩＰアドレスと表記する）を記憶させる作業を行わなければならないユニットとなっている。
【００５１】
また、制御ユニット１１は、それらの作業が、制御ユニット１１上のテンキー，タッチスクリーン３１を操作することにより行えるように、かつ、それらの作業により設定された装置ＩＰアドレスとエージェントＩＰアドレスとがＥＥＰＲＯＭ２４上に記憶されるように、構成されている。
【００５２】
さらに、制御ユニット１１は、装置ＩＰアドレス及びエージェントＩＰアドレスがＥＥＰＲＯＭ２４に記憶されている状態で電源が投入された場合と、装置ＩＰアドレス或いはエージェントＩＰアドレスが変更された場合とに、ＥＥＰＲＯＭ２４に記憶されているエージェントＩＰアドレスにて特定される装置（すなわち、エージェントコンピュータ５０）に対して、装置ＩＰアドレス、自ユニット（ネットワークインタフェース回路２９）のＭＡＣアドレス、自ユニットの機種名、スキャナ１２の機種名、スキャナ１２のオプション装置（ＡＤＦ）の装着状況を示す情報等からなるＩＰアドレス登録・確認要求を送信するようにも、構成されている。
【００５３】
一方、スキャンエージェントプログラム４０は、このＩＰアドレス登録・確認要求を受信したスキャンエージェントコンピュータ５０に、図１４に示した手順のＩＰアドレス登録・確認処理を実行させるプログラムとなっている。
【００５４】
すなわち、ＩＰアドレス登録・確認要求を受信したスキャンエージェントコンピュータ５０は、そのＩＰアドレス登録・確認要求に対応する複合機管理情報が、自コンピュータ内（自コンピュータが備えるＨＤＤ内の所定のフォルダ内）に記憶されているか否かを判断する(Ｓ１０１)。なお、受信したＩＰアドレス登録・確認要求に対応する複合機管理情報とは、受信したＩＰアドレス登録・確認要求に含まれるＭＡＣアドレスと同じＭＡＣアドレスを含む複合機管理情報（図５参照）のことである。
【００５５】
そして、スキャンエージェントコンピュータ５０は、受信したＩＰアドレス登録・確認要求に対応する複合機管理情報が、自コンピュータ内に記憶されていなかった場合(Ｓ１０１；ＮＯ)には、そのＩＰアドレス登録・確認要求に含まれている制御ユニット１１の機種名と、ＭＡＣアドレスの一部とを組み合わせることにより、管理用名称（デジタル複合機１０の識別情報としてユーザに提示する情報）を生成する(Ｓ１０２)。次いで、スキャンエージェントコンピュータ５０は、その生成した管理用名称と、受信したＩＰアドレス登録・確認要求に含まれていた各情報とを含む複合機管理情報を生成して自コンピュータ内に記憶する(Ｓ１０３)。なお、Ｓ１０２において実際に行われる処理は、管理用名称として、制御ユニット１１の機種名に、ＭＡＣアドレスの末尾４文字を続けた文字列を生成する処理である。また、Ｓ１０３において実際に行われる処理は、ＨＤＤ上に作成されている所定のフォルダ下に、ＭＡＣアドレスと同じフォルダ名のフォルダを作成し、作成したフォルダ内に複合機管理情報のファイルを作成する処理である。
【００５６】
複合機管理情報の生成及び記憶(Ｓ１０３)を終えたスキャンエージェントコンピュータ５０は、ＩＰアドレス登録・確認要求を正常に処理したことを示す情報を、そのＩＰアドレス登録・確認要求の送信元装置（デジタル複合機１０／制御ユニット１１）に返送する(Ｓ１０６)。そして、スキャンエージェントコンピュータ５０は、このＩＰアドレス登録・確認処理を終了する。
【００５７】
また、スキャンエージェントコンピュータ５０は、受信したＩＰアドレス登録・確認要求に対応する複合機管理情報が、自コンピュータ内に記憶されていた場合(Ｓ１０１；ＹＥＳ)には、その複合機管理情報に含まれている装置ＩＰアドレスが、受信したＩＰアドレス登録・確認要求に含まれていた装置ＩＰアドレスと一致しているか否かを判断する(Ｓ１０４)。そして、スキャンエージェントコンピュータ５０は、両ＩＰアドレスが一致していた場合(Ｓ１０４；ＹＥＳ)には、Ｓ１０６以降の処理を実行する。また、スキャンエージェントコンピュータ５０は、両ＩＰアドレスが一致していなかった場合(Ｓ１０４；ＮＯ)には、受信したＩＰアドレス登録・確認要求とＭＡＣアドレスが一致しているが装置ＩＰアドレスが一致していない複合機管理情報内の装置ＩＰアドレスを、そのＩＰアドレス登録・確認要求に含まれていた装置ＩＰアドレスに変更(Ｓ１０５)してから、Ｓ１０６以降の処理を実行する。
【００５８】
図１３に戻って、スキャンエージェントコンピュータ５０内に記憶される情報の説明を続ける。
【００５９】
スキャンエージェントコンピュータ５０内に、各ユーザについて記憶されているユーザ管理情報は、ユーザ名，メールアドレス，ユーザＩＤ，パスワード等からなる情報である。
【００６０】
このユーザ管理情報のスキャンエージェントコンピュータ５０への記憶（登録）は、スキャンエージェントコンピュータ５０へアクセスすることにより、コンピュータ（Ｗｅｂブラウザ）に、図１５に示したスキャンユーザ設定ページ６０を表示させることにより行われる。なお、ユーザ管理情報内のユーザＩＤは、このスキャンユーザ設定ページ６０を利用したユーザ管理情報の登録作業が行われたときに、各ユーザ（ユーザ管理情報）の識別情報としてスキャンエージェントコンピュータ５０が自動生成する情報となっている。また、スキャンユーザ設定ページ６０は、管理者名とパスワード（スキャンエージェントプログラム４０のインストール時に設定したもの／その後、設定し直したもの）を必要とするログイン作業を行わなければ、表示させることが出来ないものとなっている。すなわち、ユーザ管理情報は、管理者が設定する情報となっている。
【００６１】
スキャンエージェントコンピュータ５０内に、各ユーザについて記憶されているメール用送信先規定情報は、送信先規定情報名（図では、名称）、送信先規定情報ＩＤ（図では、情報ＩＤ）、メールアドレス等からなる情報である。グループ用送信先規定情報は、送信先規定情報名、送信先規定情報ＩＤ、複数個のメールアドレス等からなる情報である。保存用送信先規定情報は、送信先規定情報名、送信先規定情報ＩＤ、フォルダパス（ネットワーク上のコンピュータに設定されているフォルダを示す情報）等からなる情報である。
【００６２】
フォルダ用送信先規定情報のスキャンエージェントコンピュータ５０への記憶（登録）は、スキャンエージェントコンピュータ５０へアクセスすることにより、コンピュータ（Ｗｅｂブラウザ）に、図１６に示したフォルダ設定ページ７５を表示させることにより行われる。また、メール用送信先規定情報のスキャンエージェントコンピュータ５０への記憶（登録）は、スキャンエージェントコンピュータ５０へアクセスすることにより、コンピュータ（Ｗｅｂブラウザ）に、図１７に示した宛先設定ページ８０を表示させることにより行われる。そして、グループ用送信先規定情報のスキャンエージェントコンピュータ５０への記憶（登録）は、スキャンエージェントコンピュータ５０へアクセスすることにより、コンピュータ（Ｗｅｂブラウザ）に、図１８に示した宛先グループ設定ページ８０を表示させることにより行われる。
【００６３】
なお、送信先規定情報内の送信先規定情報ＩＤは、ユーザＩＤと同様に、各設定ページを利用した送信先規定情報の登録作業が行われたときに、スキャンエージェントコンピュータ５０が自動生成する情報となっている。また、各設定ページは、ユーザ名とパスワード（パスワードを設定していない場合は、ユーザ名のみ）を必要とするログイン作業を行った後に表示させることが出来るＷｅｂページとなっており、各設定ページ上の“登録”ボタンが押下された際には、設定ページに入力された各種情報と、自動生成された送信先規定情報ＩＤとを含む送信先規定情報（保存用／メール用／グループ用送信先規定情報）が、ログインを行ったユーザに関する送信先規定情報として、スキャンエージェントコンピュータ５０内に記憶される。
【００６４】
そして、本情報処理システムのデジタル複合機１０（制御ユニット１１）は、スキャンエージェントコンピュータ５０内に記憶されたユーザ管理情報群を利用してユーザ名選択画面１０５を表示し、選択可能項目情報群を利用してスキャン基本画面１１０や各種項目値選択画面を表示し、送信先規定情報群を利用してスキャン先選択画面１２０を表示するように、構成されている。
【００６５】
具体的には、図１９に示したように、モード切替ボタン１０１が押下された場合、制御ユニット１１は、ユーザ名リスト要求をスキャンエージェントコンピュータ５０（ＥＥＰＲＯＭ２４に記憶されているエージェントＩＰアドレスを有する装置）に対して送信する(Ｓ２０１)。なお、本情報処理システムは、ＨＴＴＰのリクエストボディとレスポンスボディで、制御ユニット１１とエージェントコンピュータ５０との間の各種情報の送受信が行われるシステムとなっている。
【００６６】
このユーザ名リスト要求を受信したスキャンエージェントコンピュータ５０は、自コンピュータ内に記憶されているユーザ管理情報群（図１３参照）から、ユーザ名リストを作成してデジタル複合機１０に返送する(Ｓ３０１)。ここで、ユーザ名リストとは、スキャンエージェントコンピュータ５０内に記憶されているユーザ管理情報の総数を示す登録ユーザ数を含むと共に、各ユーザ（ユーザ管理情報）について、ユーザ名，ユーザＩＤ，パスワード有無情報（ユーザがパスワードを設定している者であるか否かを示す情報）等からなる情報（以下、ユーザ名情報と表記する）を含む情報のことである。
【００６７】
このユーザ名リストを受信した制御ユニット１１は、そのユーザ名リストに含まれる各種情報に基づき、ユーザ名選択画面１０５（図６）をタッチスクリーン３１上に表示する(Ｓ２０２)。
【００６８】
具体的には、制御ユニット１１は、ユーザ名リストに含まれていた各ユーザ名情報内のユーザ名がその内部に示された６個（場合によっては６個未満）のユーザ名ボタン１０６と、表示ページを変更するためのボタン１０７ｂ及びボタン１０７ｎと、“現ページ番号／全ページ数”がその内部に示される領域１０８とを備えたユーザ名選択画面１０５を、表示する。
【００６９】
そして、制御ユニット１１は、ユーザ名選択画面１０５上の或るユーザ名ボタン１０６が押下された場合には、押下されたユーザ名ボタン１０６に対応するユーザＩＤ（押下されたユーザ名ボタン１０６内に示されているユーザ名と同じユーザ名情報内のユーザＩＤ）を含むログイン要求をスキャンエージェントコンピュータ５０に対して送信する(図１９：Ｓ２０３)。
【００７０】
なお、図１９には示してないが、押下されたユーザ名ボタン１０６が、パスワード設定を行っているユーザに関するものであった場合（押下されたユーザ名ボタン１０６内に示されているユーザ名と同じユーザ名情報内のパスワード有無情報が、その旨を表す情報であった場合）、制御ユニット１１は、パスワード入力画面をタッチスクリーン３１上に表示することにより、ユーザにパスワードを入力させる。そして、制御ユニット１１は、ユーザによって入力されたパスワードとユーザＩＤとを含めたログイン要求を、スキャンエージェントコンピュータ５０に対して送信する。
【００７１】
ログイン要求を受信したスキャンエージェントコンピュータ５０は、当該ログイン要求に含まれる情報（ユーザＩＤ、或いは、ユーザＩＤ及びパスワード）が正しいものであることを確認した上で、同じ制御ユニット１１からの，その後の要求（ＨＴＴＰリクエスト）を、ログイン要求に含まれていたユーザＩＤで識別されるユーザ（以下、現ユーザと表記する）からの要求として取り扱う処理（図では、セッション管理）を、開始する(Ｓ３０２)。また、スキャンエージェントコンピュータ５０は、ログイン要求を受け付けたことを示す情報（図では、ＯＫ）をデジタル複合機１０に返送する。
【００７２】
この情報を受信した制御ユニット１１は、スキャンエージェントコンピュータ５０に対して、全ての選択可能項目情報を返送させるための選択可能項目情報要求を送信する（Ｓ２０４）。この要求を受信したスキャンエージェントコンピュータ５０は、全ての選択可能項目情報を制御ユニット１１に対して返送（Ｓ３０３）し、スキャンエージェントコンピュータ５０から選択可能項目情報群を受信した制御ユニット１１は、その選択可能項目情報群をＲＡＭ２３上に記憶する（Ｓ２０５）。
【００７３】
そして、制御ユニット１１は、ＲＡＭ２３上の選択可能項目情報群の一部を利用して、タッチスクリーン３１上に、既に説明した構成のスキャン基本画面１１０（図７）を表示する(Ｓ２０６)。
【００７４】
すなわち、制御ユニット１１は、選択可能項目情報群内の各処理条件項目に関するデフォルト値に応じた項目値名称（項目値ＩＤが、当該デフォルト値と同じ項目値情報中の項目値名称）が、設定値提示領域１１２内，“ファイル形式”ボタン１１６内、片面／両面ボタン１１７内に示され、スキャン濃度に関する選択可能項目情報に応じた形態の濃度設定用アイテム１１８を有するスキャン基本画面１１０を、表示する。
【００７５】
なお、ログイン要求を受け付けたことを示す情報を受信した時に、既に、ＲＡＭ上に選択可能項目情報群が記憶されていた場合、制御ユニット１１は、Ｓ２０４，Ｓ２０５の処理を行うことなく、スキャン基本画面１１０を表示する（Ｓ２０６の処理を行う）。
【００７６】
スキャン基本画面１１０を表示した制御ユニット１１は、スキャン基本画面１１０に対する操作がなされるのを待機する状態となる。
【００７７】
そして、制御ユニット１１は、スキャン先選択・表示ボタン１１９が押下された場合には、図２０に示したように、スキャン先リスト要求をスキャンエージェントコンピュータ５０に対して送信する（Ｓ４０１）。
【００７８】
スキャン先リスト要求を受信したエージェントコンピュータ５０は、スキャン先リストを作成して制御ユニット１１に返送する（Ｓ５０１）。ここで、スキャン先リストとは、現ユーザに対応づけられた形で自コンピュータ内に記憶されている送信先規定情報の数を示す送信先規定情報数を含むと共に、現ユーザに対応付けられている各送信先規定情報について、送信先規定情報名と、送信先規定情報ＩＤと、その送信先規定情報が，保存用送信先規定情報，メール用送信先規定情報，グループ用送信先規定情報のいずれであるかを示す種別情報とを含む情報のことである。以下、各送信先規定情報について、このスキャン先リストに含まれる情報群（送信先規定情報名、送信先規定情報ＩＤ及び種別情報）のことを、送信先情報と表記する。
【００７９】
このスキャン先リストを受信した制御ユニット１１は、そのスキャン先リストを利用して、既に説明した構成のスキャン先選択画面１２０（図８）をタッチスクリーン３１上に表示する(Ｓ４０２)。
【００８０】
すなわち、制御ユニット１１は、スキャン先リストに基づき、それに含まれていた各送信先規定情報名（"FOLDER1","USER_1"等）を、単独で、或いは、図形１２８又は図形１２９と共に、リスト領域１２１内に示したスキャン先選択画面１２０を、表示する。
【００８１】
スキャン先選択画面１２０の表示を終えた制御ユニット１１は、スキャン先選択画面１２０（及びスキャン先確認・削除画面１３０）を、既に説明したような手順でユーザが送信先規定情報を選択できる画面として機能させる処理であるスキャン先選択画面更新処理（Ｓ４０３）を開始する。
【００８２】
制御ユニット１１は、このスキャン先選択画面更新処理を、スキャン先選択画面１２０“決定”ボタン１２５、或いは、スキャン先確認・削除画面１３０上の“決定”ボタン１３５が押下されたときに、終了する。そして、スキャン先選択画面更新処理を終了した制御ユニット１１は、タッチスクリーン３１上に、ユーザが選択した送信先規定情報を表す情報（幾つかの送信先規定情報名からなる情報）がスキャン先選択・表示ボタン１１９内に示されたスキャン基本画面１１０を、表示する（Ｓ４０４）。
【００８３】
また、スキャン基本画面１１０上の，項目値選択用画面を表示させる必要があるボタンが押下された場合、制御ユニット１１は、ＲＡＭ２３上に記憶されている，対応する選択可能項目情報を参照することにより、表示する項目値選択用画面の内容を決定して表示する。
【００８４】
既に説明したように、制御ユニット１１が表示する項目値選択用画面の中には、ページの切り替えが可能なもの（図１０、図１１）と、ページの切り替えが行えないもの（図１２）とが、存在しているが、前者に分類される項目値選択用画面の表示時に制御ユニット１１が実行する処理は、『選択可能項目情報中のＮ番目（Ｎ＝１〜項目情報数）の項目値情報に応じた項目値選択ボタン〔当該項目値情報内の項目値名称がその内部に示され、その押下が当該項目値情報内の項目値ＩＤの選択として認識される項目値選択ボタン〕が、第ｎページ（ｎは、Ｎを、表示すべき項目値選択用画面について定められている整数Ｋで割ったときの商（整数））の，ｍ番目（ｍは、ＮをＫで割ったときの余り）のボタン表示位置に示される画面を表示する』といったものである。
【００８５】
すなわち、原稿サイズ設定画面１４０（図１０）は、この処理によって表示される，Ｋが８に設定されている画面となっている。また、ファイル形式設定画面１４０（図１１）は、この処理によって表示される，Ｋが４に設定されている画面となっている。なお、ファイル形式設定画面１４０は、１、２、３、４番目のボタン表示位置が、それぞれ、左上、右上、左下、右下に設定された画面となっている（図１１に示したファイル形式設定画面１４０は、ファイル形式に関する選択対象項目情報が図１３に示した内容のものである場合に表示されるものとなっている）。
【００８６】
また、後者に分類される項目値選択用画面の表示時に制御ユニット１１が実行する処理は、『選択可能項目情報中のＮ番目（Ｎ＝１〜項目情報数）の項目値情報に応じた項目値選択ボタンが、Ｍ個のボタン表示位置の中の、Ｎ番目のボタン表示位置に示される画面（最大Ｍ個のボタンが表示可能な画面）を表示する』といったものである。
【００８７】
すなわち、原稿タイプ設定画面（図１２）は、この処理によって表示される画面（Ｍ＝３）となっている。
【００８８】
そして、制御ユニット１１は、送信先が設定されている状態でスタートボタン３２ｓが押下された場合には、図２１に示してあるように、各種処理条件項目に関する設定値ＩＤや、選択されている送信先規定情報ＩＤ等が含まれる処理内容規定情報（本発明におけるユーザ設定項目値情報に相当）を含めた処理開始要求を、スキャンエージェントコンピュータ５０に対して送信する（Ｓ６０１）。
【００８９】
この処理開始要求を受信したスキャンエージェントコンピュータ５０は、それに含まれる処理内容規定情報の一部（スキャナ１２の制御に関係する各処理条件項目の設定値ＩＤ）に基づき、スキャナ制御情報（本発明における処理内容指定情報に相当）を作成して制御ユニット１１に返送する(Ｓ７０１)。ここで、スキャナ制御情報とは、制御ユニット１１にスキャナ１２に対して実行すべき制御内容を通知するための情報（実際には、スキャナ制御用のコマンド群）のことである。
【００９０】
スキャナ制御情報を受信した制御ユニット１１は、そのスキャナ制御情報にて規定される内容の制御処理をスキャナ１２に対して行う（Ｓ６０２）。要するに、制御ユニット１１は、スキャンエージェントコンピュータ５０から指示された内容の動作をスキャナ１２に行わせる。
【００９１】
そして、制御ユニット１１は、スキャナ１２が送信してくるスキャンデータをスキャンエージェントコンピュータ５０に転送する状態となる。
【００９２】
一方、スキャナ制御情報を制御ユニット１１に対して返送したスキャンエージェントコンピュータ５０は、制御ユニット１１から送信されてくるスキャンデータを受信してＨＤＤに記憶する処理を開始している（Ｓ７０２）。
【００９３】
そして、スキャンエージェントコンピュータ５０は、制御ユニット１１から、全スキャンデータの送信が完了した旨を示す情報（図では、スキャン終了）が送信されてきたときには、Ｓ７０１で既に受信している処理内容規定情報で規定される内容のスキャンデータ送信処理を完了させるためのファイル保存・メール送信処理（Ｓ７０２）を行う。すなわち、このＳ７０２において、スキャンエージェントコンピュータ５０は、受信しているスキャンデータから，受信済みの処理内容規定情報（中のファイル形式に関する設定値ＩＤやカラータイプに関する設定値ＩＤ）で規定されるファイル形式のファイルを生成する処理と、ＨＤＤ内に記憶されている送信先規定情報を参照することにより、情報受信済みの処理内容規定情報から、スキャンデータの送信先の実際のＥメールアドレスやフォルダパスを特定する処理、特定した各Ｅメールアドレスを宛先メールアドレスとし、生成したファイルを添付ファイルとしたＥメールを送信する処理、特定した各フォルダパスで識別される共有フォルダに、生成したファイルを保存する処理などを、行う。
【００９４】
最後に、本実施形態に係る情報処理システムの改良に要する作業内容を、説明しておくことにする。
【００９５】
例えば、上記した情報処理システムを、“ＪＰＥＧ２０００”というファイル形式を選択可能なものに改良する場合を、考える。
【００９６】
この場合、各デジタル複合機１０に対する操作で“ＪＰＥＧ２０００”を選択できるようにしなければならないが、本情報処理システムは、各デジタル複合機１０のタッチスクリーン３１上に、スキャンエージェントコンピュータ５０内の選択対象項目情報で規定される内容の項目値選択画面が表示されるシステムとなっている。従って、この場合、スキャンエージェントコンピュータ５０内の，ファイル形式用の選択可能項目情報を、例えば、図２２に示した内容のものに変更すれば、各デジタル複合機１０が、“ＪＰＥＧ２０００”をファイル形式として選択できる装置として機能することになる。なお、ファイル形式用の選択可能項目情報を図２２に示したものとした場合に表示されるファイル形式設定画面１５０は、図２３に示したものである。
【００９７】
そして、この場合、スキャンエージェントプログラム４０に、“ＪＰＥＧ２０００”のファイルを生成する機能を付与しておかなければならないので、結局、情報処理システムを、“ＪＰＥＧ２０００”というファイル形式を選択可能なものに改良する場合には、システムに含まれているデジタル複合機１０が何台であっても、スキャンエージェントプログラム４０とファイル形式用の選択可能項目情報とを改良する作業を行えば良いことになる。
【００９８】
また、情報処理システムを、より多くの用紙サイズを選択可能なものに改良する場合を、考える。
【００９９】
この場合、各デジタル複合機１０にて、スキャナ１２に対して行われる制御処理の種類が増えることになるが、本情報処理システムは、デジタル複合機１０（制御ユニット１１）がスキャナ１２に対して行う制御処理の内容が、エージェントコンピュータ５０から指示されるシステムとなっている。従って、情報処理システムを、より多くの用紙サイズを選択可能なものに改良する場合にも、システムに含まれているデジタル複合機１０が何台であっても、スキャンエージェントプログラム４０と選択可能項目情報とを改良する作業を行えば良いことになる。
【０１００】
また、本情報処理システムに対する，各デジタル複合機１０（制御ユニット１１）に表示させる画面の内容（ボタンの表示順、ボタン内に示す文字）を変更する作業は、対応する選択可能項目情報を変更するだけで完了することになる。例えば、各デジタル複合機１０に表示させるファイル形式設定画面１５０を図２４に示した内容のものとしたい場合、スキャンエージェントコンピュータ５０内のファイル形式用の選択可能項目情報を、図２５に示した内容のものとする作業のみを行えば、良いことになる。
【０１０１】
＜変形形態＞
実施形態に係る情報処理システムは、各種の変形を行うことが出来る。例えば、上記した情報処理システムは、スキャンデータ送信処理を行うシステムであったが、情報処理システムを、スキャンデータ送信処理とは異なる情報処理を行うものに変形しておいても良い。また、デジタル複合機１０、スキャンエージェントコンピュータ５０（スキャンエージェントプログラム３０）間で、項目値ＩＤが授受されないように、情報処理システムを変形しておいても良い。ただし、この場合、項目値名称が、直接、スキャンエージェントプログラム４０に入力されるようにしておいたのでは、項目値名称の変更が出来ないことになるので、スキャンエージェントコンピュータ５０側で、項目値名称から項目値ＩＤへの変換が行われるようにしておくことが望ましい。
【図面の簡単な説明】
【０１０２】
【図１】本発明の一実施形態に係る情報処理システムの構成及び使用形態の説明図。
【図２】デジタル複合機の外観図。
【図３】デジタル複合機の構成図。
【図４】デジタル複合機に含まれる制御ユニットの外観図。
【図５】制御ユニットが表示するコピー基本画面の説明図。
【図６】制御ユニットが表示するユーザ名選択画面の説明図。
【図７】制御ユニットが表示するスキャン基本画面の説明図。
【図８】制御ユニットが表示するスキャン先選択画面の説明図。
【図９】制御ユニットが表示するファイル形式設定画面の説明図。
【図１０】制御ユニットが表示する原稿サイズ設定画面の説明図。
【図１１】制御ユニットが表示するファイル形式設定画面の説明図。
【図１２】制御ユニットが表示する原稿タイプ設定画面の説明図。
【図１３】情報処理システムに含まれるスキャンエージェントコンピュータ内に記憶される情報の説明図。
【図１４】スキャンエージェントコンピュータが実行するＩＰアドレス登録・確認処理の流れ図。
【図１５】スキャンエージェントコンピュータが提供するスキャンユーザ設定ページの説明図。
【図１６】スキャンエージェントコンピュータが提供するフォルダ設定ページの説明図。
【図１７】スキャンエージェントコンピュータが提供する宛先設定ページの説明図。
【図１８】スキャンエージェントコンピュータが提供する宛先グループ設定ページの説明図。
【図１９】情報処理システムの動作手順を示したシーケンス図。
【図２０】情報処理システムの動作手順を示したシーケンス図。
【図２１】情報処理システムの動作手順を示したシーケンス図。
【図２２】図２４のファイル形式設定画面を表示させるための選択可能項目情報の説明図。
【図２３】図２３の選択可能項目情報で表示されるファイル形式設定画面の説明図。
【図２４】図２５の選択可能項目情報で表示されるファイル形式設定画面の説明図。
【図２５】図２４のファイル形式設定画面を表示させるための選択可能項目情報の説明図。
【図２６】既存のシステムが行う，スキャンtoファイル処理、スキャンtoメール処理の説明図。
【符号の説明】
【０１０３】
１０  デジタル複合機、１１  制御ユニット、１２  スキャナ、１３  プリンタ
４０  スキャンエージェントプログラム、  ５０  スキャンエージェントコンピュータ
【図１】
2005210188.tif 000003
【図２】
2005210188.tif 000004
【図３】
2005210188.tif 000005
【図４】
2005210188.tif 000006
【図５】
2005210188.tif 000007
【図６】
2005210188.tif 000008
【図７】
2005210188.tif 000009
【図８】
2005210188.tif 000010
【図９】
2005210188.tif 000011
【図１０】
2005210188.tif 000012
【図１１】
2005210188.tif 000013
【図１２】
2005210188.tif 000014
【図１３】
2005210188.tif 000015
【図１４】
2005210188.tif 000016
【図１５】
2005210188.tif 000017
【図１６】
2005210188.tif 000018
【図１７】
2005210188.tif 000019
【図１８】
2005210188.tif 000020
【図１９】
2005210188.tif 000021
【図２０】
2005210188.tif 000022
【図２１】
2005210188.tif 000023
【図２２】
2005210188.tif 000024
【図２３】
2005210188.tif 000025
【図２４】
2005210188.tif 000026
【図２５】
2005210188.tif 000027
【図２６】
2005210188.tif 000028